(57)【特許請求の範囲】
【請求項１】
単位使用量当りの料金が規定料金であるガス器具と、該規定料金とは異なる特殊料金であるガス器具とのガス使用量を計量する器具別料金対象のガスメータにおいて、該ガスメータは、前記単位使用量当りの料金が規定料金であるガス器具及び特殊料金であるガス器具のガス使用量を計量する、検定を要する第１のガス計量部と、前記規定料金とは異なる特殊料金であるガス器具のガス使用量を計量する、検定を要しない第２の計量部と、前記第１の計量部に設けられ、かつ、該第１の計量部での計量値と前記第２の計量部での計量値を選択的に表示する単一の計量表示部と、該単一の計量表示部の表示を前記第１の計量部の計量値と第２の計量部の計量値とで選択的に切り換えて表示する切り換え手段を有することを特徴とする器具別料金対象ガスメータ。
【請求項２】
前記第２の計量部の計量値を表示した後、所定時間経過後に、前記第１の計量部の計量値の表示に自動的に復帰することを特徴とする請求項１に記載の器具別料金対象ガスメータ。
【請求項３】
前記第１の計量部にメモリを有し、前記第２の計量部での計量値を前記第１の計量部のメモリに記憶し、該第１の計量部の前記表示部にて表示し、または、該第１の計量部に設けられている伝送機能を使用して遠隔伝送可能としたことを特徴とする請求項１又は２に記載の器具別料金対象ガスメータ。
【請求項４】
前記第２の計量部での計量値を前記第１の計量部に設けられたマイコンを使用して任意係数を乗算可能としたことを特徴とする請求項１乃至３のいずれかに記載の器具別料金対象ガスメータ。
【発明の詳細な説明】
【０００１】
【発明の属する技術分野】
本発明は、器具別料金対象ガスメータ、より詳細には、単位使用量当りの料金が異なる特殊料金のガス器具が混在するガス流路において、前記特殊料金のガス器具のガス使用量と、規定料金のガス器具のガス使用量とを単一の表示部に選択的に表示可能としたものである。
【０００２】
【従来の技術】
現在、都市ガスが使用できない地域では、ほとんどの地域で、プロパンガスが使用されているが、このプロパンガスは、通常、容器に詰められており、使い終ると、新しい容器と交換して使用する。容器の交換は、専門の業者が行い、使い終った容器は、業者が持ち帰ってガスを詰め、次の使用に備える。
【０００３】
上述のように、プロパンガスは、容器の交換，ガスの詰め替え，容器の保管，管理等メンテナンスが大変であり、そのためのコストが大きい。特に、容器の交換は、一回の巡回で数軒分の交換ができれば効率的で、コストも下るが、そのためには、各家庭でのガスの使用量が増えることが必要である。
【０００４】
プロパンガスの使用量を増すには、ガスの値段を下げるとよいが、通常、各家庭の一日の使用量は略決っており、いかにガスの値段を下げても、日常のガス使用が増えるものとは考えられない。
【０００５】
上述のごとき実情に鑑みて、本出願人は、先に、例えば、冬場のガスストーブの使用，夏場のガス冷房機の使用等に対するガス料金を割引き、これによって、これらガス器具の普及を図るとともに、プロパンガスの使用量の増大を図り、もって、プロパンガスのコストの低減を図ることについて提案した（特願平８−１３７３４５号）。
【０００６】
図３は、本出願人が先に提案したガスメータの一実施形態を説明するための図で、図中、１はプロパンガス容器、２は各家庭に設けられているガステーブル、３は各家庭毎に設けられているガスメータで、通常、該ガスメータ３によって、当該各家庭のガス使用量を読み取り、その読み取りに基づいて料金を請求している。このガステーブル２によるガスの使用は、日常の生活に必ず必要なものであり、その使用量は略定まっており、ガスの料金によっては、それ程変動しない。４は対象としているガスストーブ、或いは、ガス冷房機で、これらのガス器具の使用は、ガスの料金によって大きく変わる。
【０００７】
これらガスストーブ，ガス冷房機等に対するガスの使用料金を下げ、これらガス器具の普及を図るとともに、ガスの使用量の増大を図るためには、これらガスストーブ，ガス冷房機等に対するガスの使用量を、ガステーブル２による通常料金のガス使用量と分けて算出する必要がある。そのためには、勿論、ガスストーブ等に対して別個にガスメータを取り付ければ、簡単に、これらガスストーブ等の器具に対する使用料金を求めることができるが、それでは、そのための費用がかかってしまい、全体としてのコストの低下につながらない。
【０００８】
図３において、５は料金割引対象ガス器具の専用ガス流路中に配設されて該ガス流路中のガス流路の変化を検出するセンサで、例えば、周知のマイクロブリッジ型式の熱式フローセンサを用いることにより、瞬時に流量の変化を検出することができる。なお、図３には、料金割引対象ガス器具４として市販のガスストーブを想定しているため、ガス流量変化センサ５をガス流路中に配設した例を示しているが、図中に破線５′にて示すように、料金割引対象ガス器具中に予めフローセンサ等のガス流量変化センサが設けられている時は、その流量変化センサを使用すればよい。
【０００９】
ガス流量変化センサ５は、この料金割引ガス器具４のガス使用量を算出するために設けられたもので、このセンサ５は、ガスストーブ４のガス使用量が変化した時に出力を出し、この時刻に料金割引ガス器具４の使用が開始され、使用量が変化され、更には、使用が終了したことを知ることができる。ガスメータ３では、トータルとしてのガス使用量（積算使用量）をカウントすることは当然であるが、各瞬時におけるガス使用量をもカウントしており、各時刻におけるガス使用量の変化量を知ることができ、このガス使用量の変化のタイミング，変化量より特殊ガス器具のガス使用量を計量することができ、このようにして求めた特殊ガス器具のガス使用量を通信回線等を通してセンターに送り、ここで割り引き率をかけて特殊ガス器具に対するガス使用料金を算出するようにしている。
【００１０】
【発明が解決しようとする課題】
本出願人が先に提案したガスメータにおいては、特殊ガス器具のガス使用量は、通信回線を通してセンターに送り、センターで割り引き率をかけて算出されるものであり、ガス使用者側で、その使用量を知ることはできなかった。そのためには、勿論、ガスメータを２台使用すればよいが、その場合には、検定を受けたメータを２台使用することになり、コストが高くなってしまうという問題がある。
【００１１】
本発明は、上述のごとき実情に鑑みてなされたもので、検定を必要とするメータを１台とし、該検定を必要とするメータにて規定料金のガス器具によるガス使用量を計量するようにするとともに、該ガスメータに特殊料金用のガス器具のガス使用量を計量するガスメータを付属させて、該特殊ガス器具用のガスメータの検定を不要とし、もって、ガス使用場所でのガス使用量を表示可能とするとともに、ガスメータのコストの低減化を図ったものである。
【００１２】
【課題を解決するための手段】
請求項１の発明は、単位使用量当りの料金が規定料金であるガス器具と、該規定料金とは異なる特殊料金であるガス器具とのガス使用量を計量する器具別料金対象のガスメータにおいて、該ガスメータは、前記単位使用量当りの料金が規定料金であるガス器具及び特殊料金であるガス器具のガス使用量を計量する、検定を要する第１のガス計量部と、前記規定料金とは異なる特殊料金であるガス器具のガス使用量を計量する、検定を要しない第２の計量部と、前記第１の計量部に設けられ、かつ、該第１の計量部での計量値と前記第２の計量部での計量値を選択的に表示する単一の計量表示部と、該単一の計量表示部の表示を前記第１の計量部の計量値と第２の計量部の計量値とで選択的に切り換えて表示する切り換え手段を有することを特徴としたものである。
【００１３】
請求項２の発明は、請求項１の発明において、前記第２の計量部の計量値を表示した後、所定時間経過後に、前記第１の計量部の計量値の表示に自動的に復帰することを特徴としたものである。
【００１４】
請求項３の発明は、請求項１又は２の発明において、前記第１の計量部にメモリを有し、前記第２の計量部での計量値を前記第１の計量部のメモリに記憶し、該第１の計量部の前記表示部にて表示し、または、該第１の計量部に設けられている伝送機能を使用して遠隔伝送可能としたことを特徴としたものである。
【００１５】
請求項４の発明は、請求項１乃至３のいずれかの発明において、前記第２の計量部での計量値を前記第１の計量部に設けられたマイコンを使用して任意係数で演算可能としたことを特徴としたものである。
【００１６】
【発明の実施の形態】
図１は、本発明による器具別料金対象ガスメータの一実施例を説明するための要部概略構成図で、図中、Ｉは規定料金のガス料金を支払うガス器具が接続されているガス消費設備系、ＩＩは特殊料金のガス料金を支払うガス器具が接続されているガス消費設備系で、１０は前記ガス消費設備系Ｉ＋ＩＩに供給するガス使用量を計測する規定料金ガス器具用のガスメータ（第１のガス計量部）、２０は前記ガス消費設備系ＩＩに供給するガスの使用量を計量する特殊料金ガス器具用ガスメータ（第２のガス計量部）で、該第２のガス計量部２０は、前記第１のガス計量部１０に付属して一体的に設けられている。
【００１７】
第１のガス計量部１０に供給されたガスは、該第１のガス計量部１０を通して前記規定料金のガス消費設備系Ｉに供給されるとともに、第２のガス計量部２０を通して前記特殊料金のガス消費設備系ＩＩへ供給される。第１のガス計量部１０は、検定を必要とする通常のガスメータであり、第２のガス計量部２０は、該第１のガス計量部１０に付随して該第１のガス計量部１０に一体的に設けられたガスメータであり、該第２のガス計量部２０は検定を必要としない。
【００１８】
第１のガス計量部１０には、積算値表示部１１及び表示切り換えスイッチ１２を具備しており、該切り換えスイッチ１２を押すことにより、該表示部１１には、第１のガス計量部１０の積算値が表示されたり、第２のガス計量部２０の積算値が表示されたりする。好ましくは、通常は、第１のガス計量部１０の積算値を表示しており、切り換えスイッチ１２を押すと、第２のガス計量部２０の積算値表示に切り換わり、所定時間経過後に、第１のガス計量部１０の積算値の表示に自動的に切り換わるようになっている。
【００１９】
図２は、本発明の他の実施例を説明するための要部構成図で、図中、図１に示した実施例と同様の作用をする部分には、図１の場合と同一の参照番号が付してある。而して、図２において、１３は第１のガス計量部１０用の積算カウンタ、１４は第２のガス計量部２２用の積算カウンタ、２１は第２のガス計量部２０の流量センサで、この実施例においては、第１のガス計量部１０には、２つの積算カウンタ１３，１４を有し、それぞれのガスメータの使用量を別々に積算表示する構造となっている。この場合においても、第２のガス計量部２０には、積算表示部を有しないので、該第２のガス計量部２０は、検定を受けることなく、第１のガス計量部のみ検定を受ければよいので、その分、コスト安にすることができる。
【００２０】
また、図１及び図２において、３０は通信回線で、前述のようにして計量されたガス使用量は、センターにて読み取られ、課金されるが、その場合、第２のガス計量部２０で計量されたガス使用量は、第１のガス計量部１０内に設けられたメモリに記憶されており、該通信回線３０を通してセンターに読み取られる。更には、第１のガス計量部１０に設けられたマイコンにより、任意所望の係数が掛けられ（演算されて）第１のガス計量部１０の伝送機能を通してセンターに伝送される（勿論、第１のガス計量部の積算値もセンターに伝送される）。
【００２１】
【発明の効果】
以上の説明から明らかように、本発明によると、検定を必要とするガスメータを１つにして、規定料金のガス器具に供給されるガス使用量と、特殊料金のガス器具に供給されるガス使用量を別々に計量して表示することができるので、２台のガスメータを使用する場合に比してガスメータのコストを安くすることができる。
【図面の簡単な説明】
【図１】本発明による器具別料金対象ガスメータの一実施例を説明するための要部概略構成図である。
【図２】本発明による器具別料金対象ガスメータの他の実施例を説明するための要部概略構成図である。
【図３】本出願人が先に提案した器具別料金対象ガスメータの一例を説明するための図である。
【符号の説明】
１０…規定料金用の第１のガス計量部、１１…ガス使用量表示部、１２…切り換えスイッチ、１３，１４…積算カウンタ、２０…特殊料金用の第２のガス計量部、２１…流量センサ、Ｉ…規定料金のガスが供給されるガス器具が使用されるガス消費設備系、ＩＩ…特殊料金のガスが供給されるガス器具が使用されるガス消費設備系。
【図１】
0003594753.tif 000002
【図２】
0003594753.tif 000003
【図３】
0003594753.tif 000004